(57)【要約】【課題】遊技者の遊技における履歴に基づいて、階層を付与することによって、遊技者の好奇心と挑戦意欲を掻き立てる遊技機を提供すること。【解決手段】本発明の遊技機は、判定の結果、記録された遊技成績が特典条件を満たしている場合、遊技成績を収めた遊技者を特定するとともに、特定された遊技者が操作している遊技部を特定し、特定された遊技部における遊技条件を、特典条件を満たさない場合より遊技者にとって有利となるよう設定する。【選択図】  図７
2004329451.tif 000002
【特許請求の範囲】
【請求項１】
コンピュータ装置を含んで構成され、
遊技操作が行なわれる、唯一無二の識別情報が設定された遊技部と、
前記遊技部に設けられ、遊技参加の際に遊技者の個人情報の入力を受付ける個人情報入力部と、
前記入力された個人情報を前記識別情報と対応付けて記憶する個人情報記録部と、
前記個人情報記録部の個人情報に対応付けて遊技成績を記録する成績記録部と、
前記成績記録部に記録された遊技成績が予め定められた特典条件を満たすか否かを判定する判定部と、
前記判定部の判定結果に基づいて前記遊技部に遊技条件を設定する条件設定部と、を備え、
前記判定の結果、前記成績記録部に記録された遊技成績が前記特典条件を満たしている場合、前記条件設定部は、前記遊技成績を収めた遊技者を前記成績記録部の記録内容を対照することで特定するとともに、前記特定された遊技者が操作している遊技部を前記個人情報記録部の記録内容を対照して特定し、前記特定された遊技部における遊技条件を、前記特典条件を満たさない場合より遊技者にとって有利となるよう設定するものであって、前記特典条件を解除すべき解除条件が成立するまで、前記設定を維持することを特徴とする遊技機。
【請求項２】
前記特典条件は、等級分けされた複数の階層毎にそれぞれ定められており、
前記判定の結果、前記成績記録部に記録された遊技成績が前記階層のいずれかに属し、その属する階層の特典条件を満たしている場合、前記条件設定部は、前記遊技成績を収めた遊技者を前記成績記録部の記録内容を対照することで特定するとともに、前記特定された遊技者が操作している遊技部を前記個人情報記録部の記録内容を対照して特定し、前記特定された遊技部における遊技条件を、その属する階層以上の特典条件を満たさない場合より遊技者にとって有利となるよう設定するものであって、前記特典条件を解除すべき解除条件が成立するまで、前記設定を維持することを特徴とする請求項１記載の遊技機。
【請求項３】
前記特典条件は、これが満たされるにしたがい逐次条件達成への難度が上昇するよう構成されるものであることを特徴とする請求項１または請求項２記載の遊技機。
【請求項４】
前記遊技機は有価価値を有するものの入力によって遊技可能な状態に移行し、遊技の成果として前記有価価値を有するものの出力を伴う業務用遊技機であって、前記入力に対する前記出力の割合が、１００パーセント以下に収束するよう制御されるものであることを特徴とする請求項１から請求項３のいずれかに記載の遊技機。
【請求項５】
遊技者が入力した有価価値を有するもののうちの一定割合を蓄積する蓄積部と、
遊技の成果として有価価値を有するものを出力する賞出力部とを備え、
前記特典条件は特定の賞への入賞が成立することであって、前記条件設定部は、前記特定の賞への入賞を成立させた遊技者を前記成績記録部の記録内容を対照することで特定するとともに、前記特定された遊技者が操作している遊技部を前記個人情報記録部の記録内容を対照して特定し、前記賞出力部は前記特定された遊技部に対して、前記蓄積された有価価値を有するものの全てを出力することを特徴とする請求項１から請求項４のいずれかに記載の遊技機。
【請求項６】
前記遊技機は、複数の競走体の模型を模型フィールド上で競走させて競争結果のデータを出力する模型競争部、または複数の競走体が競争をする画像を表示して競走結果のデータを出力する画像表示部のいずれか一方もしくは両方と、遊技者が前記競走体による競争結果を予想して、期待する競走体に前記有価価値を有するものの一定量を賭す操作を行なうための、前記遊技部に設けられた予想データ入力部と、を備え、
前記競争結果のデータと、前記入力された予想データとに基づいて成される入賞判定の結果を前記成績記録部は継続して記録するものであり、
前記遊技者が予想して賭した競走体が所定の入賞を達成した場合には、当該遊技者に対する配当を、前記遊技部にさらに設けられた払出し部より前記有価価値を有するもので払い出すとともに、前記成績記録部に記録された成績を前記遊技成績として用いるものであることを特徴とする請求項１から請求項５のいずれかに記載の遊技機。
【請求項７】
コンピュータ装置を含んで構成され、
遊技操作が行なわれる、唯一無二の識別情報が設定された複数の遊技部と、
前記各遊技部に設けられ、遊技参加の際に遊技者の個人情報の入力を受付ける個人情報入力部と、
前記入力された個人情報を前記識別情報と対応付けて記憶する個人情報記録部と、
前記個人情報記録部の個人情報に対応付けて遊技成績を記録する成績記録部と、
前記成績記録部に記録された遊技成績が予め定められた特典条件を満たすか否かを判定する判定部と、
前記判定部の判定結果に基づいて前記遊技部に遊技条件を設定する条件設定部と、
前記各遊技部を接続する通信ネットワークと、を備え、
前記特典条件は、これが満たされるにしたがい逐次条件達成への難度が上昇するよう構成されるものであり、
前記判定の結果、前記成績記録部に記録されたいずれかの遊技成績が前記特典条件を満たしている場合、前記条件設定部は、前記通信ネットワークを介して、前記遊技成績を収めた遊技者を前記成績記録部の記録内容を対照することで特定するとともに、前記特定された遊技者が操作している遊技部を前記個人情報記録部の記録内容を対照して特定し、前記特定された遊技部における遊技条件を、前記特典条件を満たさない場合より遊技者にとって有利となるよう設定するものであって、前記特典条件を解除すべき解除条件が成立するまで、前記設定を維持することを特徴とする遊技システム。
【発明の詳細な説明】
【０００１】
【発明の属する技術分野】
本発明は、遊技者の遊技成績が特典条件を満たしている場合、その遊技条件を、特典条件を満たさない場合より遊技者にとって有利となるよう設定する遊技機および遊技システムに関する。
【０００２】
【従来の技術】
従来、競馬ゲームや競艇ゲームなどの競争を行なう遊技では、遊技者がレースの結果を予想してＢＥＴを行ない、個別のレース結果に応じてプレイヤーに配当が支払われている。
【０００３】
また、従来から第１の遊技の予想が適中したとき、その配当数を賭けて第２の競争遊技を行なう遊技機が知られている（例えば、特許文献１参照。）。この遊技機では、複数列のランプ列がそれぞれ速度を変えて順次点灯し、ゴール地点に最初に到達したランプ列やそれらの着順や組合せなどを当てる、いわゆる競馬や競艇、競輪などを模した遊技が行なわれている。
【０００４】
【特許文献１】
特公平１−５７５９２号公報
【０００５】
【発明が解決しようとする課題】
しかしながら、このような遊技においては遊技者に支払われる配当を決定する倍率（オッズ）は、すべての遊技者において同一であり、遊技の履歴により遊技者間に有利または不利が生ずることはない。このため、他の遊技者との関係は薄く、遊技者同士で競争意識が生ずることは少ない。
【０００６】
一方、上記のような競争を行なう遊技において、遊技者間で競争意識を感じさせる手法があれば、遊技者の挑戦意欲を高揚させ、好奇心を掻き立てる遊技を行なうことができると考えられる。
【０００７】
本発明は、遊技者の遊技における履歴に基づいて、階層を付与することによって、遊技者の好奇心と挑戦意欲を掻き立てる遊技機および遊技システムを提供することを目的とする。
【０００８】
【課題を解決するための手段】
（１）上記の目的を達成するため、本発明の遊技機は、コンピュータ装置を含んで構成され、遊技操作が行なわれる、唯一無二の識別情報が設定された遊技部と、遊技部に設けられ、遊技参加の際に遊技者の個人情報の入力を受付ける個人情報入力部と、その入力された個人情報を識別情報と対応付けて記憶する個人情報記録部と、個人情報記録部の個人情報に対応付けて遊技成績を記録する成績記録部と、成績記録部に記録された遊技成績が予め定められた特典条件を満たすか否かを判定する判定部と、判定部の判定結果に基づいて遊技部に遊技条件を設定する条件設定部と、を備え、判定の結果、成績記録部に記録された遊技成績が特典条件を満たしている場合、条件設定部は、遊技成績を収めた遊技者を成績記録部の記録内容を対照することで特定するとともに、特定された遊技者が操作している遊技部を個人情報記録部の記録内容を対照して特定し、特定された遊技部における遊技条件を、特典条件を満たさない場合より遊技者にとって有利となるよう設定するものであって、特典条件を解除すべき解除条件が成立するまで、その設定を維持することを特徴としている。
【０００９】
このように本発明では、判定の結果、記録された遊技成績が特典条件を満たしている場合、遊技成績を収めた遊技者を特定するとともに、特定された遊技者が操作している遊技部を特定し、特定された遊技部における遊技条件を、特典条件を満たさない場合より遊技者にとって有利となるよう設定する。これにより、特典としての遊技条件が遊技者間で異なるため、遊技者同士で競争する意識が生ずる。その結果、遊技者の挑戦意欲を高揚させ、好奇心を掻き立てることができる。
【００１０】
（２）また、本発明の遊技機は、上記の特典条件は、等級分けされた複数の階層毎にそれぞれ定められており、判定の結果、成績記録部に記録された遊技成績が階層のいずれかに属し、その属する階層の特典条件を満たしている場合、条件設定部は、遊技成績を収めた遊技者を成績記録部の記録内容を対照することで特定するとともに、特定された遊技者が操作している遊技部を個人情報記録部の記録内容を対照して特定し、特定された遊技部における遊技条件を、その属する階層以上の特典条件を満たさない場合より遊技者にとって有利となるよう設定するものであって、特典条件を解除すべき解除条件が成立するまで、その設定を維持することを特徴としている。
【００１１】
このように、本発明では、特典条件は、等級分けされた複数の階層毎にそれぞれ定められており、その階層に属する遊技者が操作する遊技部における遊技条件を、その属する階層以上の特典条件を満たさない場合より遊技者にとって有利となるよう設定する。これにより、さらに遊技者に有利な遊技条件が得られる階層の獲得を目指して遊技を行なおうとするため、遊技者の挑戦意欲を高揚させ、好奇心を掻き立てることができる。
【００１２】
（３）また、本発明の遊技機は、前記特典条件は、これが満たされるにしたがい逐次条件達成への難度が上昇するよう構成されるものであることを特徴としている。
【００１３】
このように、本発明では、特典条件は、これが満たされるにしたがい逐次条件達成への難度が上昇するよう構成されるので、他の遊技者が以前に満たした特典条件よりも達成の難易度が高い基準で特典条件を満たした遊技者に、特定の階層およびその遊技条件を付与する遊技を行なうことができ、遊技者間の競争意識を高めることができる。その結果、遊技者の挑戦意欲を高揚させ、好奇心を掻き立てることができる。
【００１４】
（４）また、本発明の遊技機は、前記遊技機は有価価値を有するものの入力によって遊技可能な状態に移行し、遊技の成果として前記有価価値を有するものの出力を伴う業務用遊技機であって、前記入力に対する前記出力の割合が、１００パーセント以下に収束するよう制御されるものであることを特徴としている。
【００１５】
このように、本発明では、有価価値の入力に対する出力の割合が、１００パーセント以下に収束するように制御されるので、１００パーセントを超えた払い出しが生じることが無くなる。これにより、本発明に係る遊技機により営業を行なう者には、利益が確保される。
【００１６】
（５）また、本発明の遊技機は、遊技者が入力した有価価値を有するもののうちの一定割合を蓄積する蓄積部と、遊技の成果として有価価値を有するものを出力する賞出力部とを備え、前記特典条件は特定の賞への入賞が成立することであって、前記条件設定部は、前記特定の賞への入賞を成立させた遊技者を前記成績記録部の記録内容を対照することで特定するとともに、前記特定された遊技者が操作している遊技部を前記個人情報記録部の記録内容を対照して特定し、前記賞出力部は前記特定された遊技部に対して、前記蓄積された有価価値を有するものの全てを出力することを特徴としている。
【００１７】
このように、本発明では、特定の賞への入賞を成立させた遊技者を成績記録部の記録内容を対照することで特定するとともに、特定された遊技者が操作している遊技部を個人情報記録部の記録内容を対照して特定し、賞出力部は特定された遊技部に対して、蓄積された有価価値を有するものの全てを出力するので、特定の賞への入賞を成立させた遊技者に対してジャックポットとしての賞を付与することができる。その結果、競馬等を模した競争遊技では、従来無かった遊技要素を遊技に付与することになり、遊技者の好奇心を高めることができる。また、蓄積量が高まるほど、遊技者がジャックポットとしての賞を獲得しようとする意欲を高めることができる。また、ジャックポットとして蓄積された有価価値を払い出すことで、実際の払い出し率を設定値に調整することができる。
【００１８】
（６）また、本発明の遊技機は、前記遊技機は、複数の競走体の模型を模型フィールド上で競走させて競争結果のデータを出力する模型競争部、または複数の競走体が競争をする画像を表示して競走結果のデータを出力する画像表示部のいずれか一方もしくは両方と、遊技者が前記競走体による競争結果を予想して、期待する競走体に前記有価価値を有するものの一定量を賭す操作を行なうための、前記遊技部に設けられた予想データ入力部と、を備え、前記競争結果のデータと、前記入力された予想データとに基づいて成される入賞判定の結果を前記成績記録部は継続して記録するものであり、前記遊技者が予想して賭した競走体が所定の入賞を達成した場合には、当該遊技者に対する配当を、前記遊技部にさらに設けられた払出し部より前記有価価値を有するもので払い出すとともに、前記成績記録部に記録された成績を前記遊技成績として用いるものであることを特徴としている。
【００１９】
このように、本発明では、複数の競走体の模型を模型フィールド上で競走させ、または複数の競走体が競争をする画像を表示して競走結果のデータを出力し、予想データに基づき、入賞判定を行ない、入賞があった場合には配当を払い出す。これにより、競馬や競艇などを模した競争遊技においても遊技者間で遊技について有利または不利を生じさせて遊技者同士の競争意識を高めることができる。また、特定の階層に応じた遊技条件を獲得するという新たな要素を競争遊技に付加することができる。
【００２０】
（７）また、本発明の遊技システムは、コンピュータ装置を含んで構成され、遊技操作が行なわれる、唯一無二の識別情報が設定された複数の遊技部と、前記各遊技部に設けられ、遊技参加の際に遊技者の個人情報の入力を受付ける個人情報入力部と、前記入力された個人情報を前記識別情報と対応付けて記憶する個人情報記録部と、前記個人情報記録部の個人情報に対応付けて遊技成績を記録する成績記録部と、前記成績記録部に記録された遊技成績が予め定められた特典条件を満たすか否かを判定する判定部と、前記判定部の判定結果に基づいて前記遊技部に遊技条件を設定する条件設定部と、前記各遊技部を接続する通信ネットワークと、を備え、前記特典条件は、これが満たされるにしたがい逐次条件達成への難度が上昇するよう構成されるものであり、前記判定の結果、前記成績記録部に記録されたいずれかの遊技成績が前記特典条件を満たしている場合、前記条件設定部は、前記通信ネットワークを介して、前記遊技成績を収めた遊技者を前記成績記録部の記録内容を対照することで特定するとともに、前記特定された遊技者が操作している遊技部を前記個人情報記録部の記録内容を対照して特定し、前記特定された遊技部における遊技条件を、前記特典条件を満たさない場合より遊技者にとって有利となるよう設定するものであって、前記特典条件を解除すべき解除条件が成立するまで、前記設定を維持することを特徴としている。
【００２１】
このように、本発明では、各遊技部を通信ネットワークで接続し、特典条件を満たしている場合には、通信ネットワークを介して、その遊技成績を収めた遊技者を特定するとともに、特定された遊技者が操作している遊技部を個人情報記録部の記録内容を対照して特定し、特定された遊技部における遊技条件を、特典条件を満たさない場合より遊技者にとって有利となるよう設定する。これにより、例えば、異なる店舗の遊技機の間でも、他の遊技者が以前に満たした特典条件よりも達成の難易度が高い基準で特典条件を満たした遊技者に、特定の階層およびその遊技条件を付与する遊技を行なうことができ、遊技者間の競争意識を高めることができる。その結果、遊技者の挑戦意欲を高揚させ、好奇心を掻き立てることができる。
【００２２】
【発明の実施の形態】
（実施の形態１）
以下、実施の形態１に係る遊技機について説明する。実施の形態１に係る遊技機は、判定の結果、記録された遊技成績が特典条件を満たしている場合、遊技成績を収めた遊技者を特定するとともに、特定された遊技者が操作している遊技部を特定し、特定された遊技部における遊技条件を、特典条件を満たさない場合より遊技者にとって有利となるよう設定する。そして、その設定は解除条件が満たされるまで保持される。
【００２３】
特典条件とは、遊技者の遊技成績によって定まり、それを満たすことで遊技者に有利となる遊技を行なうことができる条件をいう。たとえば、１回の遊技で配当としてメダル５０００枚以上獲得すること等の条件である。そして、特典条件は、払い出し率が所定の値を超えない範囲内で設定されている。遊技条件とは、特典条件を満たしたときに遊技機に与えられる遊技を行う上での有利となる条件をいう。たとえば、遊技をする際には、オッズを６％上げて行なうことができるという条件である。
【００２４】
図１は、実施の形態１に係る遊技機の外観を示す斜視図である。図１に示すように、遊技機１は、３枚の大型ディスプレイにより構成される画像表示部２と、フィールドユニットとしての模型競争部３と複数の遊技部４とから構成される。フィールドユニットとしての模型競争部３は、競走させる複数の競走体の模型と模型フィールドにより構成される。遊技部４は、いわゆるステーションであり、各遊技者が遊技のための操作を行なう部分である。各遊技部は、インターフェース１０、メダル投入口１１、メダル払い出し口１２およびカード差込み口１３を備えている。カードは、遊技者を識別する個人情報を記録するために用いられる。インターフェース１０は、入賞結果等を表示する機能だけでなく、ベット操作の際には入力端末の機能を果たす。
【００２５】
図２は、実施の形態１に係る遊技機の電気的構成を示す図である。図２に示すように、遊技機１は、メイン制御ボックス２０、画像処理ボード２１〜２３、大型ディスプレイ２４〜２６、フィールドユニット２７、ステーション制御ボックス２８、液晶ディスプレイ２９、タッチパネル３０およびメダル排出機構３１により構成される。液晶ディスプレイ２９およびタッチパネル３０は、インターフェース１０に含まれ、液晶ディスプレイ２９上にタッチパネル３０が設置されている。メイン制御ボックス２０は、画像処理ボード２１〜２３、フィールドユニット２７およびステーション制御ボックス２８と接続されており、画像処理、フィールドでの競争体の動作、ステーションの動作を制御する機能を有している。
【００２６】
画像処理ボード２１〜２３は、大型ディスプレイ２４〜２６による表示動作を制御する機能を有している。また、ステーション制御ボックス２８は、液晶ディスプレイ２９、タッチパネル３０、メダル排出機構３１、カードＲ／Ｗ３２の動作を制御する機能を有している。記憶されている遊技履歴と、遊技者とを結びつけるための遊技者識別手段として、磁気カードが用いられる。カードＲ／Ｗ３２は、カードが有する遊技者の個人情報を読み込み、個人情報入力部として動作する。磁気カードには、個人を識別するための個人情報が書き込まれており、遊技者は自分の磁気カードをカード読み書き装置に挿入することで本体メイン制御ボックス２０に記録されている遊技履歴を呼び出して、それまでの遊技の続きを楽しむことができる。遊技を一旦終了する場合は、ステーション４のカード取り出しボタンを押すことで、その時点の遊技履歴を本体のメイン制御ボックス２０に保存しておくことができる。
【００２７】
なお、実施の形態１では、カードを使用することとしているが、遊技者を特定できるものであれば、カードに限られず、パスワード等を用いることもできる。
【００２８】
遊技者は、タッチパネル３０を通じて、予想データを入力し、入力されたデータは、メイン制御２０ボックスに記録される。すなわち、タッチパネル３０およびメイン制御ボックスが予想データ入力部としての機能を果たすことになる。メイン制御ボックス２０は、競走結果のデータと入力された予想データとに基づいて入賞判定を行なう入賞判定部としても、機能する。
【００２９】
メイン制御ボックス２０は、各ステーション制御ボックス２８との間でレースの結果データの送信および払い出しデータの受信を行なう機能を有している。また、メイン制御ボックス２０は、多数の遊技者各人の過去の遊技履歴（遊技回数、積算の総ベット枚数、積算の総払い出し枚数等）を記憶する機能を有する。ステーション制御ボックスは、入賞を判定する機能を有する。払い出し操作が行なわれた場合には、メダル排出機構３１によりメダル払い出し口からメダルが払い出される。
【００３０】
実施の形態１の遊技機は、遊技者の遊技履歴を基に判定を行い、馬券ゲームにおける遊技者の上手、下手のレベルを認定する。
【００３１】
遊技者の個人情報は遊技機に設定された識別情報と対応付けて個人情報記録部としてのメイン制御ボックス２０に記録される。このように、遊技部にユニークな識別情報と個人情報が対応付けて記録されるため、どの遊技者がどの遊技機にいるのかを特定することができる。これにより、遊技者が遊技部を移動した場合でも、新たな遊技部で、あらためて個人情報が入力されるので、その遊技者に対応した処理を行なうことができる。このようにして、遊技部自体と遊技者自身に識別情報が設定され、これらが遊技機に認識されているため、有利な条件で遊技を行なうことができるだけの成績を収めた遊技者がいるかどうかを判断し、いる場合には、どの遊技部にいるのかを特定することができる。
【００３２】
また、メイン制御ボックス２０は、個人情報記録部の個人情報に対応付けて遊技成績を記録する成績記録部としても、動作する。これにより、どの遊技者の遊技について特典条件が満たされたかが特定される。
【００３３】
また、メイン制御ボックス２０は、成績記録部に記録された遊技成績が予め定められた特典条件を満たすか否かを判定する判定部、および判定部の判定結果に基づいて遊技部に遊技条件を設定する条件設定部としても動作する。
【００３４】
実施の形態１の遊技機では、遊技に参加する遊技者が競馬を模したレースの結果を予想し、単勝、連勝複式、連勝単式の各馬券にベット（投票）し、その馬券が当たった場合は、所定のオッズ（倍率）に従ってクレジットの払い戻しが行われる。
【００３５】
遊技者は自分の持っているクレジットがあれば、複数の馬券に同時にベットを行なうことができるが、一つの馬券に掛けられる最大のベット枚数は原則として５０枚までと定められている。
【００３６】
本発明では、特典条件に対応して、階級が設定されている。そして、その階級に対して遊技条件が設定されている。図３から図５は階層の例を示す図である。図３および図４に示すように、実施の形態１では、遊技者の性別に応じ、それぞれ等級に分けられた階層が「段位」として規定されている。このように、それぞれの遊技者に対応して専属的に決まる段位を馬券レベルと呼ぶこととする。馬券レベルは後述するタイトルのように遊技者間を移転することはない。通常、女性は競馬等の遊技に馴染みのない場合が多いが、実施の形態１では、性別に応じて属することのできる馬券レベルを分けている。これにより、女性であっても遊技に参加し易くなる。男性か女性かの識別は初期設定の際に入力された情報をカードの個人情報に対応させてメイン制御ボックス２０に記録しておく。また、段位として等級を分けることにより、さらに遊技者に有利な遊技条件が得られる階層の獲得を目指して遊技を行なおうとするため、遊技者の挑戦意欲を高揚させ、好奇心を掻き立てることができる。昇級および降級は一級または一段ずつであり、飛び級はないこととしている。
【００３７】
図中の昇級条件および降級条件が特典条件に、優待遇が遊技条件に対応する。図３に示すように、遊技者が男性の場合、初期設定される段位は五級である。五級から三段までは昇級条件として獲得メダル枚数の積算が５００枚を超えるごとに昇段させるという条件を設定している。四段に昇級するためには、１レースで１０００枚以上のメダルを獲得する必要がある。四段までは、降級条件および優待遇は規定されていない。
【００３８】
五段から七段までの昇級条件は、それぞれ収支が５０％以上、６０％以上、７０％以上であることとしている。ここで、収支とは、その遊技者の積算ベット枚数に対する積算払い出し枚数の割合で、単位を％としたものをいう。例えば、単発的なゲーム参加時点、すなわち、新規カード挿入による新規データの作成時点からの積算ベット枚数に対する積算払い出し枚数の割合などが該当する。また、その遊技者の過去から現在に至るまでの積算ベット枚数に対する積算払い出し枚数の割合であっても良い。降級条件は、収支が４０％以下であることとしており、その場合には段位が一段下に格下げされる。また、五段から七段までは優待遇として、最大ベットがそれまでの５０枚から１０枚加えられ、６０枚とされる。一般に当たる可能性の高い馬券はオッズが低く、馬券としての魅力も乏しいが、最大ベット数が多ければそれだけ払い戻しも多くなるので、そのような馬券に対する魅力も増大することになる。
【００３９】
これにより、優待遇としての遊技条件が遊技者間で異なるため、遊技者同士で競争する意識が生ずる。その結果、遊技者の挑戦意欲を高揚させ、好奇心を掻き立てることができる。
【００４０】
八段の昇級条件は、収支が、払い出し率の設定値から１５％を引いた数値以上であり、九段の昇級条件は、収支が、払い出し率の設定値から５％を引いた数値以上であることとしている。払い出し率は店舗により異なるが、通常９０％前後に設定される。八段および九段からの降級条件は、収支が、払い出し率の設定値から２５％を引いた数値以下であることとしており、その場合には段位が一段下に格下げされる。また、八段および九段の優待遇として、最大ベットが５０枚から２０枚加えられ７０枚とされる。十段の昇級条件は、収支が、払い出し率の設定値に５％を加えた数値以上であることとしている。十段からの降級条件は、収支が、払い出し率の設定値以下であることとしており、その場合には段位が九段になる。また、十段の優待遇として、最大ベットが５０枚から５０枚加えられ１００枚とされる。
【００４１】
また、図４に示すように、女性についても同様に女流四級から女流五段までの段位について馬券レベルが規定されている。男性の場合に比べて、昇級および降級条件を緩和し、その代わり優待遇を小さく設定している。これにより、女性も気軽に遊技に参加することができる。
【００４２】
また、図５に示すように実施の形態１に係る遊技機には、上記の馬券レベルの他に、通常よりも有利な条件で遊技を行なうことのできる、５個のタイトルが用意されている。
【００４３】
これらのタイトルは１台の遊技機に各１個だけ用意されており、それぞれの獲得条件を満たした遊技者に与えられる。タイトルを与えられた遊技者は、新たに別の遊技者が獲得条件を満たすか、または獲得後一週間を経過するまでの間、そのタイトルに応じた有利な条件で遊技を行なうことができる。
【００４４】
これにより、競馬を模した競争遊技においても遊技者間で遊技について有利または不利を生じさせることができ、遊技者同士の競争意識を高めることができる。また、特定の階層に応じた遊技条件を獲得するという新たな要素を遊技に付加することができる。
【００４５】
図５に示すように、ここでは獲得条件および挑戦資格が、特典条件に対応する。解除条件としては、新たに別の遊技者が獲得条件を満たすか、またはタイトル獲得後一週間を経過することである。優待遇が、遊技条件に対応するのは、上記の馬券レベルの場合と同様である。獲得から一週間で、タイトルを失うこととしているため、タイトルは一人の遊技者に長期間独占されることがなくなり、遊技者のタイトルへの獲得意欲を高めることができる。
【００４６】
竜王のタイトルの獲得条件は、１レースでメダルを５０００枚以上獲得することであり、挑戦資格は馬券レベルを持つ全ての遊技者に与えられる。すでに、竜王を有する遊技者がいる場合には、その遊技者が竜王を獲得した際の獲得枚数を超えることが新たに条件として付加される。
【００４７】
これにより、他の遊技者が以前に記録した成績より高い基準で特典条件を満たした遊技者に、特定の階層およびその遊技条件を付与する遊技を行なうことができ、遊技者間の競争意識を高めることができる。その結果、遊技者の挑戦意欲を高揚させ、好奇心を掻き立てることができる。
【００４８】
竜王についての解除条件は、新たに別の遊技者が獲得条件を満たすか、またはタイトル獲得後一週間を経過することである。竜王の優待遇としては、オッズが通常のオッズに６％を加えたものとされる。オッズの上乗せにより、同じ馬券にベットした場合でも、他の遊技者よりも多い払い出しを受けることができる。竜王のタイトルを保持する遊技者の場合、１００枚の払い出しにつき、更に６枚多く他のプレイヤーよりも受け取ることができる。
【００４９】
青竜は、男性のみが獲得できるタイトルである。青竜の獲得条件は、１レースでメダルを３０００枚以上獲得することであり、挑戦資格は馬券レベルが男性の四段以上であることとしている。すでに、青竜を有する遊技者がいる場合には、その遊技者が青竜を獲得した際の獲得枚数を超えることが新たに条件として付加される。また、同一遊技者が同一レースで２個以上のタイトルを獲得することを防ぐため、新たに竜王のタイトルを獲得した遊技者は、そのレースで青竜のタイトルを獲得できないこととしている。
【００５０】
青竜の解除条件は、新たに別の遊技者が獲得条件を満たすか、またはタイトル獲得後一週間を経過することである。
【００５１】
青竜の優待遇としては、最大ベットがさらに５０枚加えられたものとしている。
【００５２】
赤竜は、女性のみが獲得できるタイトルであり、男性の場合の青竜に対応するものである。青竜とは異なり、赤竜の獲得条件は、１レースでメダルを２０００枚以上獲得することであり、挑戦資格は馬券レベルが女流二級以上であることとしている。
【００５３】
赤竜の解除条件は、青竜の条件と同様である。赤竜の優待遇としては、最大ベットがさらに２０枚加えられたものとしている。
【００５４】
黒竜は、男性のみが獲得できるタイトルである。黒竜の獲得条件は、５レース連続でメダルを５０枚以上的中させることであり、挑戦資格は馬券レベルが男性の四段以上であることとされている。５０枚以上の的中とは、１レースについて配当のメダル枚数から総ベット枚数を引いた枚数が５０枚以上であることをいう。すでに、黒竜を有する遊技者がいる場合には、連続した５０枚以上の的中回数についてその遊技者の最高連続的中回数を超えることが新たに条件として付加される。また、同一遊技者が同一レースで２以上のタイトルを獲得することを防ぐため、新たに竜王または青竜のタイトルを獲得した遊技者は、そのレースで黒竜のタイトルを獲得できないこととしている。
【００５５】
黒竜の解除条件は、新たに別の遊技者が獲得条件を満たすか、またはタイトル獲得後一週間を経過することである。
【００５６】
黒竜の優待遇としては、オッズが通常のオッズに４％を加えたものとする。また、竜王と黒竜を同時に保持している遊技者の場合、竜王の６％と黒竜の４％で、合計１０％が通常のオッズに加えられることになる。
【００５７】
白竜は、女性のみが獲得できるタイトルであり、男性の場合の黒竜に対応するものである。黒竜とは異なり、白竜の獲得条件は、３レース連続でメダルを３０枚以上的中させることであり、挑戦資格は馬券レベルが女流二級以上であるとされている。
【００５８】
赤竜の解除条件は、黒竜の条件と同様である。白竜の優待遇としては、オッズが通常のオッズに２％を加えたものとする。また、竜王と白竜を同時に保持している遊技者の場合、竜王の６％と白竜の２％で、合計８％が通常のオッズに加えられることになる。
【００５９】
実施の形態１の遊技機では、これら遊技について保持者に有利になるタイトルを、遊技者間で奪い合わせることで、他の遊技者との競争という新しい面白さを提供することができる。
【００６０】
このように、実施の形態１では、優待遇としてオッズの上乗せ等を規定しているが、特定のタイトルを有する遊技者は従来の複式の賭け方を超えて、１〜３等までに指定する馬が入った場合に勝ちとするような賭け方ができることとしてもよい。その他、遊技者に有利となるような種々の優待遇を規定することができる。
【００６１】
この実施の形態１の遊技機を含むメダル遊技機では、通常、払い出し率が設定されている。メダル遊技機ではこの払い出し率の収束が、ゲーム施設の運営上強く求められている。上記タイトルによる優待遇としてオッズの上乗せを無制限に行った場合は、この払い出し率が設定値に収束しなくなるため、メダル遊技機としては失格してしまう。
【００６２】
そこでオッズの上乗せ値は、正しく払い出し率が収束する限度内で設定する必要がある。実施の形態１の遊技機では、オッズを次の式で算出している。
【００６３】
〔オッズ（倍）〕＝１÷〔馬券の当たる確率（％）〕×〔払い出し率（％）〕例えば払い出し率が９０％に設定されていた場合で、当たる確率が７％の馬券のオッズは、
１÷７（％）×９０（％）＝１２．８５７１…（倍）となる。
【００６４】
しかし、実施の形態１の遊技機では馬券のオッズは小数点以下第１位までしか使用せず、第２位以下（０．０５７１・・・）は切捨てているため、最終的な払い出し率は設定値よりもやや下回って収束する。この設定値より下回る値は、およそ１％であることがシミュレーションの結果判明している。つまり平均して１２台全てのステーションで１％オッズの上乗せがあれば、払い出し率は設定値に等しく収束することになる。
【００６５】
ここで、仮に１２台中１台のみ１２％（＝１％×１２台分）の上乗せを行っても、払い出し率が設定値に収束するのは同じである。したがって、タイトルによる優待遇としてのオッズ上乗せの設定値は、合計で１２％になるように振り分けるのが妥当である。そこで、実施の形態１では、竜王６％、黒竜４％、白竜２％で設定している。
【００６６】
これにより、限度を超えた払い出しが生じることが無くなり、本発明に係る遊技機により営業を行なう者には、利益が確保される。また、従来ならオッズの端数の切捨てによって生じる実際の払い出し率のずれはイベント日を設ける等して調整されていたが、本発明に係る遊技機では遊技条件を調整することにより、ずれを修正して設定された払い出し率を達成することができる。
【００６７】
従来は、オッズの切り捨て分は若干ゲームセンター側の利益に反映される傾向にあったため、これを調整するためイベント日を設けるなどして、遊技者に利益を還元することで本来設定されている払い出し率に戻すようなことが行なわれていた。従来のように調整日を設ける方法であると、当然、そのための特別イベントの創出や、その日までの払い出し率の集計、その分配の仕方についてイベントの都度の工夫を要求され、ゲームセンター関係者には頭を悩ます問題でもあった。
【００６８】
しかし、本発明の技術によれば、タイトルの優待遇の設定により、設定された払い出し率を超えることなく、その値に払い出し率を収束するようにオッズの上乗せ分を振り分けている。これにより、上記のような調整日を設けずとも定常営業でこれが可能となる。当然、特典資格のない遊技者への配当に影響を与えることもない。
【００６９】
次に、以上のように構成された実施の形態１に係る遊技機の動作について説明する。図６から図１１は、実施の形態１に係る遊技機の特徴的な動作を示すフローチャートである。
【００７０】
図６に示すように、遊技機の電源が投入されると、まずシステムの初期化および遊技の初期化を行なう（ステップＳ１、Ｓ２）。移動または更新されることなく獲得から一週間が経過したタイトルについては空位にする（ステップＳ３）。
【００７１】
次に、メイン制御ボックス２０において、オッズを作成し（ステップＳ４）、作成したオッズを全ステーションに送信する（ステップＳ５）。ステーション４に送信されたオッズは、液晶ディスプレイ２９上に表示される。
【００７２】
次に、ベット時間がスタートする（ステップＳ６）。ベット時間が終了したか否かを判定し（ステップＳ７）、ベット時間が終了していなければ、遊技者はタッチパネルを通じてベットを行なうことができる。ベットの内容は予想データとして、ステーション制御ボックス２８に記録される。ベット時間が終了した場合には、ベット時間終了を全ステーションに通知する（ステップＳ８）。
【００７３】
次に、模型競争部３のフィールド上で競走体の模型によるレースを行なう（ステップＳ９）。同時に、大型ディスプレイ２にもレースを表示する。レースが終了すると、レース結果を全ステーションに送信する（ステップＳ１０）。各ステーションのステーション制御ボックス２８は、競走結果のデータと予想データから入賞を判定し、入賞が成立している場合には、払い出しを行なう。メイン制御ボックス２０では、全ステーションの払い出し結果を受信する（ステップＳ１１）。
【００７４】
次に、図７に示す竜王タイトル移動処理を行なう。まず、メイン制御ボックス２０において、メダルの払い出し枚数が最も多い遊技者を選出し（ステップＳ１２）、その遊技者が竜王タイトルを持っているか否かを判定する（ステップＳ１３）。竜王タイトルを持っている場合には、竜王タイトル移動処理を終了する。竜王タイトルを持っていない場合には、竜王タイトルが空位であるか否かを判定する（ステップＳ１５）。竜王タイトルが空位でない場合には、今回のレース結果におけるその遊技者への払い出し枚数が、現在の竜王タイトル保持者の竜王獲得時の払い出し枚数より多いか否かを判定する（ステップＳ１４）。多くない場合には、竜王タイトル移動処理を終了する。多い場合には、現在の竜王タイトル保持者から竜王タイトルを剥奪し（ステップＳ１６）、選出された遊技者に竜王タイトルを付与する（ステップＳ１８）。
【００７５】
一方、竜王タイトルが空位の場合には、今回のレース結果におけるその遊技者への払い出し枚数が５０００枚以上であるか否かを判定する（ステップＳ１７）。５０００枚未満である場合には、竜王タイトル移動処理を終了する。５０００枚以上である場合には、その遊技者に竜王タイトルを付与する（ステップＳ１８）。
【００７６】
次に、図８に示す青竜タイトル移動処理を行なう。まず、メイン制御ボックス２０において、馬券レベルが四段以上でメダルの払い出し枚数が最も多い遊技者を選出し（ステップＳ１９）、その遊技者が今回のレース結果により竜王を獲得しているか否かを判定する（ステップＳ２０）。今回竜王を獲得している場合には、馬券レベルが四段以上で、次にメダルの払い出し枚数が多い遊技者を選出する（ステップＳ２１）。次に、選出された遊技者が青竜タイトルを持っているか否かを判定する（ステップＳ２２）。青竜タイトルを持っている場合には、青竜タイトル移動処理を終了する。青竜タイトルを持っていない場合には、青竜タイトルが空位であるか否かを判定する（ステップＳ２３）。青竜タイトルが空位でない場合には、今回のレース結果におけるその遊技者への払い出し枚数が、現在の青竜タイトル保持者の青竜獲得時の払い出し枚数より多いか否かを判定する（ステップＳ２４）。多くない場合には、青竜タイトル移動処理を終了する。多い場合には、現在の青竜タイトル保持者から青竜タイトルを剥奪し（ステップＳ２５）、選出された遊技者に青竜タイトルを付与する（ステップＳ２７）。
【００７７】
一方、青竜タイトルが空位の場合には、今回のレース結果におけるその遊技者への払い出し枚数が３０００枚以上であるか否かを判定する（ステップＳ２６）。３０００枚未満である場合には、青竜タイトル移動処理を終了する。３０００枚以上である場合には、その遊技者に青竜タイトルを付与する（ステップＳ２７）。
【００７８】
次に、図９に示す赤竜タイトル移動処理を行なう。まず、メイン制御ボックス２０において、馬券レベルが女流二級以上でメダルの払い出し枚数が最も多い遊技者を選出し（ステップＳ２８）、その遊技者が今回のレース結果により竜王を獲得しているか否かを判定する（ステップＳ２９）。今回竜王を獲得している場合には、馬券レベルが女流二級以上で、次にメダルの払い出し枚数が多い遊技者を選出する（ステップＳ３０）。次に、選出された遊技者が赤竜タイトルを持っているか否かを判定する（ステップＳ３１）。赤竜タイトルを持っている場合には、赤竜タイトル移動処理を終了する。赤竜タイトルを持っていない場合には、赤竜タイトルが空位であるか否かを判定する（ステップＳ３２）。赤竜タイトルが空位でない場合には、今回のレース結果におけるその遊技者への払い出し枚数が、現在の赤竜タイトル保持者の赤竜獲得時の払い出し枚数より多いか否かを判定する（ステップＳ３３）。多くない場合には、赤竜タイトル移動処理を終了する。多い場合には、現在の赤竜タイトル保持者から赤竜タイトルを剥奪し（ステップＳ３４）、選出された遊技者に赤竜タイトルを付与する（ステップＳ３６）。
【００７９】
一方、赤竜タイトルが空位の場合には、今回のレース結果におけるその遊技者への払い出し枚数が２０００枚以上であるか否かを判定する（ステップＳ３５）。２０００枚未満である場合には、赤竜タイトル移動処理を終了する。２０００枚以上である場合には、その遊技者に赤竜タイトルを付与する（ステップＳ３６）。
【００８０】
次に、図１０に示す黒竜タイトル移動処理を行なう。まず、メイン制御ボックス２０において、馬券レベルが四段以上で連続する５０枚以上の的中回数が最も多い遊技者を選出し（ステップＳ３７）、その遊技者が今回のレース結果により竜王または青竜を獲得しているか否かを判定する（ステップＳ３８）。今回竜王または青竜を獲得している場合には、馬券レベルが四段以上で、次に連続する５０枚以上の的中回数が多い遊技者を選出する（ステップＳ３９）。次に、選出された遊技者が黒竜タイトルを持っているか否かを判定する（ステップＳ４０）。黒竜タイトルを持っている場合には、黒竜タイトル移動処理を終了する。黒竜タイトルを持っていない場合には、黒竜タイトルが空位であるか否かを判定する（ステップＳ４１）。黒竜タイトルが空位でない場合には、今回のレース結果によるその遊技者の連続する５０枚以上の的中回数が、現在の黒竜タイトル保持者が記録した５０枚以上の最高連続的中回数より多いか否かを判定する（ステップＳ４２）。多くない場合には、黒竜タイトル移動処理を終了する。多い場合には、現在の黒竜タイトル保持者から黒竜タイトルを剥奪し（ステップＳ４３）、選出された遊技者に黒竜タイトルを付与する（ステップＳ４５）。
【００８１】
一方、黒竜タイトルが空位の場合には、今回のレース結果におけるその遊技者の連続する５０枚以上の的中回数が５回以上であるか否かを判定する（ステップＳ４４）。５回未満である場合には、黒竜タイトル移動処理を終了する。５回以上である場合には、その遊技者に黒竜タイトルを付与する（ステップＳ４５）。
【００８２】
次に、図１１に示す白竜タイトル移動処理を行なう。まず、メイン制御ボックス２０において、馬券レベルが女流二級以上で連続する３０枚以上の的中回数が最も多い遊技者を選出し（ステップＳ４６）、その遊技者が今回のレース結果により竜王または赤竜を獲得しているか否かを判定する（ステップＳ４７）。今回竜王または赤竜を獲得している場合には、馬券レベルが女流二級以上で、次に連続する３０枚以上の的中回数が多い遊技者を選出する（ステップＳ４８）。次に、選出された遊技者が白竜タイトルを持っているか否かを判定する（ステップＳ４９）。白竜タイトルを持っている場合には、白竜タイトル移動処理を終了する。白竜タイトルを持っていない場合には、白竜タイトルが空位であるか否かを判定する（ステップＳ５０）。白竜タイトルが空位でない場合には、今回のレース結果によるその遊技者の連続する３０枚以上の的中回数が、現在の白竜タイトル保持者が記録した３０枚以上の最高連続的中回数より多いか否かを判定する（ステップＳ５１）。多くない場合には、白竜タイトル移動処理を終了する。多い場合には、現在の白竜タイトル保持者から白竜タイトルを剥奪し（ステップＳ５２）、選出された遊技者に白竜タイトルを付与する（ステップＳ５４）。
【００８３】
一方、白竜タイトルが空位の場合には、今回のレース結果によるその遊技者の連続する３０枚以上の的中回数が３回以上であるか否かを判定する（ステップＳ５３）。３回未満である場合には、白竜タイトル移動処理を終了する。３回以上である場合には、その遊技者に白竜タイトルを付与する（ステップＳ５４）。
【００８４】
タイトル移動処理終了後、タイトルの移動結果を全ステーションに送信する（ステップＳ５５）。一方、各ステーションにおいて、図３および図４に基づいた基準で遊技者の馬券レベルの昇格または降格の処理を行なう（ステップＳ５６）。そして、処理はステップＳ３に戻る。
【００８５】
また、実施の形態１では、遊技条件として最大ベットの上限を上げること、またはオッズが規定値分加算されることが説明されているが、特定の条件を満たしている遊技者に対して（たとえば、竜王保持者）、いわゆるジャックポットチャンスを与えることとしてもよい。すなわち、クレジットの数値データの一定割合をメイン制御ボックス２０に蓄積し、特定のレベルまたはタイトルを保持する遊技者が遊技するステーション４で、ジャックポットの入賞があったときには、蓄積されたクレジットの数値データの全部をそのステーション４に出力することもできる。
【００８６】
これにより、競馬等を模した競争遊技では、従来無かった遊技要素を遊技に付与することになり、遊技者の好奇心を高めることができる。また、蓄積量が高まるほど、遊技者がその階層を獲得しようとする意欲を高めることができる。また、ジャックポットとして蓄積されたクレジットを払い出すことで、実際の払い出し率を設定値に調整することができる。
【００８７】
（実施の形態２）
実施の形態１では、単一の遊技機を説明しているが、複数の遊技機をネットワークにより接続して、遊技システムを構築してもよい。図１２は、実施の形態２に係る遊技システムの電気的構成を示す図である。複数の遊技機がネットワーク３３を通じて接続されている。各遊技機の構成は、実施の形態１と同様である。各遊技機で行なわれる遊技を統制するために、１つの遊技機をマスター機とし、他の遊技機をスレイブ機とする。遊技者の個人情報に対応した情報の管理はマスター機のメイン制御ボックスが集中して行なう。また、馬券レベルおよびタイトルについての判断基準等は実施の形態１と同様である。
【００８８】
次に、以上のように構成された実施の形態２に係る遊技機の動作について説明する。図１３から図１８は、実施の形態１に係る遊技機の特徴的な動作を示すフローチャートである。
【００８９】
図１３に示すように、遊技システムの電源が投入されると、まず、それぞれの遊技機のシステムの初期化および遊技の初期化を行なう（ステップＴ１、Ｔ２）。移動または更新されることなく獲得から一週間が経過したタイトルについては空位にする（ステップＴ３）。
【００９０】
次に、各遊技機のメイン制御ボックス２０において、オッズを作成し（ステップＴ４）、作成したオッズをその遊技機の全ステーションに送信する（ステップＴ５）。ステーション４に送信されたオッズは、液晶ディスプレイ２９上に表示される。
【００９１】
次に、ベット時間がスタートする（ステップＴ６）。マスター機のメイン制御ボックス２０は、ベット時間が終了したか否かを判定し（ステップＴ７）、ベット時間が終了していなければ、各遊技機のステーションにおいて遊技者はタッチパネルを通じてベットを行なうことができる。ベットの内容は予想データとして、ステーション制御ボックス２８に記録される。ベット時間が終了した場合には、マスター機は、各遊技機のメイン制御ボックス２０を通じてベット時間終了を全ステーションに通知する（ステップＴ８）。
【００９２】
次に、各遊技機の模型競争部３のフィールド上で競走体の模型によるレースを行なう（ステップＴ９）。各遊技機で行なわれるレースは同じものであり、マスター機のメイン制御ボックス２０により制御される。同時に、各遊技機の大型ディスプレイ２にもレースを表示する。レースが終了すると、レース結果を全ステーションに送信する（ステップＴ１０）。各ステーションのステーション制御ボックス２８は、競走結果のデータと予想データから入賞を判定し、入賞が成立している場合には、払い出しを行なう。メイン制御ボックス２０では、全ステーションの払い出し結果を受信し、さらにマスター機のメイン制御ボックス２０が全体の結果を受信する（ステップＴ１１）。
【００９３】
次に、マスター機のメイン制御ボックス２０は、各ステーションの払い出し枚数に｛９０÷（そのステーションの属する遊技機の払い出し率の設定値）｝を掛けて、（ステップＴ１２）、それをメダル１枚あたりのクレジット数で割り（ステップＴ１３）、それを払い出し枚数として処理する。
【００９４】
これにより、払い出し率の違う遊技機を２台以上ネットワークで接続して、それら複数の遊技機の間でタイトルを共有した場合でも、各遊技機の設定の相違に関わらず、遊技者の間での公平なタイトルの争奪が可能になる。また、上記複数の遊技機の間で、上記共有したタイトルを自由に移動させたとしても、各タイトル保持から生じるオッズの上昇によるメダル払い出しの増加分は、実際の払い出し率が設定値より１％降下していることから生じる遊技機毎に蓄積されたメダルで補うようにしているので、ネットワークで接続された遊技機間でのメダル価値の移動は存在せず、その内の１台の遊技機だけ見れば収支は閉じているため、それぞれの遊技機の払い出し率は設定値通りに収束することを意味する。すなわち、上記の処理により、この遊技機の収支（メダル投入枚数とメダル払い出し枚数）は１台の遊技機の中で、完全に閉じることになる。一方、遊技機間において遊技者に有利または不利の格差が生じることもない。
【００９５】
次に、図１４に示す竜王タイトル移動処理を行なう。まず、マスター機のメイン制御ボックス２０において、メダルの払い出し枚数が最も多い遊技者を選出し（ステップＴ１４）、その遊技者が竜王タイトルを持っているか否かを判定する（ステップＴ１５）。竜王タイトルを持っている場合には、竜王タイトル移動処理を終了する。竜王タイトルを持っていない場合には、竜王タイトルが空位であるか否かを判定する（ステップＴ１６）。竜王タイトルが空位でない場合には、今回のレース結果におけるその遊技者への払い出し枚数が、現在の竜王タイトル保持者の竜王獲得時の払い出し枚数より多いか否かを判定する（ステップＴ１７）。多くない場合には、竜王タイトル移動処理を終了する。多い場合には、現在の竜王タイトル保持者から竜王タイトルを剥奪し（ステップＴ１８）、選出された遊技者に竜王タイトルを付与する（ステップＴ２０）。
【００９６】
一方、竜王タイトルが空位の場合には、今回のレース結果におけるその遊技者への払い出し枚数が５０００枚以上であるか否かを判定する（ステップＴ１９）。５０００枚未満である場合には、竜王タイトル移動処理を終了する。５０００枚以上である場合には、その遊技者に竜王タイトルを付与する（ステップＴ２０）。
【００９７】
次に、図１５に示す青竜タイトル移動処理を行なう。まず、マスター機のメイン制御ボックス２０において、馬券レベルが四段以上でメダルの払い出し枚数が最も多い遊技者を選出し（ステップＴ２１）、その遊技者が今回のレース結果により竜王を獲得しているか否かを判定する（ステップＴ２２）。今回竜王を獲得している場合には、馬券レベルが四段以上で、次にメダルの払い出し枚数が多い遊技者を選出する（ステップＴ２３）。次に、選出された遊技者が青竜タイトルを持っているか否かを判定する（ステップＴ２４）。青竜タイトルを持っている場合には、青竜タイトル移動処理を終了する。青竜タイトルを持っていない場合には、青竜タイトルが空位であるか否かを判定する（ステップＴ２５）。青竜タイトルが空位でない場合には、今回のレース結果におけるその遊技者への払い出し枚数が、現在の青竜タイトル保持者の青竜獲得時の払い出し枚数より多いか否かを判定する（ステップＴ２６）。多くない場合には、青竜タイトル移動処理を終了する。多い場合には、現在の青竜タイトル保持者から青竜タイトルを剥奪し（ステップＴ２７）、選出された遊技者に青竜タイトルを付与する（ステップＴ２９）。
【００９８】
一方、青竜タイトルが空位の場合には、今回のレース結果におけるその遊技者への払い出し枚数が３０００枚以上であるか否かを判定する（ステップＴ２８）。３０００枚未満である場合には、青竜タイトル移動処理を終了する。３０００枚以上である場合には、その遊技者に青竜タイトルを付与する（ステップＴ２９）。
【００９９】
次に、図１６に示す赤竜タイトル移動処理を行なう。まず、マスター機のメイン制御ボックス２０において、馬券レベルが女流二級以上でメダルの払い出し枚数が最も多い遊技者を選出し（ステップＴ３０）、その遊技者が今回のレース結果により竜王を獲得しているか否かを判定する（ステップＴ３１）。今回竜王を獲得している場合には、馬券レベルが女流二級以上で、次にメダルの払い出し枚数が多い遊技者を選出する（ステップＴ３２）。次に、選出された遊技者が赤竜タイトルを持っているか否かを判定する（ステップＴ３３）。赤竜タイトルを持っている場合には、赤竜タイトル移動処理を終了する。赤竜タイトルを持っていない場合には、赤竜タイトルが空位であるか否かを判定する（ステップＴ３４）。赤竜タイトルが空位でない場合には、今回のレース結果におけるその遊技者への払い出し枚数が、現在の赤竜タイトル保持者の赤竜獲得時の払い出し枚数より多いか否かを判定する（ステップＴ３５）。多くない場合には、赤竜タイトル移動処理を終了する。多い場合には、現在の赤竜タイトル保持者から赤竜タイトルを剥奪し（ステップＴ３６）、選出された遊技者に赤竜タイトルを付与する（ステップＴ３８）。
【０１００】
一方、赤竜タイトルが空位の場合には、今回のレース結果におけるその遊技者への払い出し枚数が２０００枚以上であるか否かを判定する（ステップＴ３７）。２０００枚未満である場合には、赤竜タイトル移動処理を終了する。２０００枚以上である場合には、その遊技者に赤竜タイトルを付与する（ステップＴ３８）。
【０１０１】
次に、図１７に示す黒竜タイトル移動処理を行なう。まず、マスター機のメイン制御ボックス２０において、馬券レベルが四段以上で連続する５０枚以上の的中回数が最も多い遊技者を選出し（ステップＴ３９）、その遊技者が今回のレース結果により竜王または青竜を獲得しているか否かを判定する（ステップＴ４０）。今回竜王または青竜を獲得している場合には、馬券レベルが四段以上で、次に連続する５０枚以上の的中回数が多い遊技者を選出する（ステップＴ４１）。次に、選出された遊技者が黒竜タイトルを持っているか否かを判定する（ステップＴ４２）。黒竜タイトルを持っている場合には、黒竜タイトル移動処理を終了する。黒竜タイトルを持っていない場合には、黒竜タイトルが空位であるか否かを判定する（ステップＴ４３）。黒竜タイトルが空位でない場合には、今回のレース結果によるその遊技者の連続する５０枚以上の的中回数が、現在の黒竜タイトル保持者が記録した５０枚以上の最高連続的中回数より多いか否かを判定する（ステップＴ４４）。多くない場合には、黒竜タイトル移動処理を終了する。多い場合には、現在の黒竜タイトル保持者から黒竜タイトルを剥奪し（ステップＴ４５）、選出された遊技者に黒竜タイトルを付与する（ステップＴ４７）。
【０１０２】
一方、黒竜タイトルが空位の場合には、今回のレース結果におけるその遊技者の連続する５０枚以上の的中回数が５回以上であるか否かを判定する（ステップＴ４６）。５回未満である場合には、黒竜タイトル移動処理を終了する。５回以上である場合には、その遊技者に黒竜タイトルを付与する（ステップＴ４７）。
【０１０３】
次に、図１８に示す白竜タイトル移動処理を行なう。まず、マスター機のメイン制御ボックス２０において、馬券レベルが女流二級以上で連続する３０枚以上の的中回数が最も多い遊技者を選出し（ステップＴ４８）、その遊技者が今回のレース結果により竜王または赤竜を獲得しているか否かを判定する（ステップＴ４９）。今回竜王または赤竜を獲得している場合には、馬券レベルが女流二級以上で、次に連続する３０枚以上の的中回数が多い遊技者を選出する（ステップＴ５０）。次に、選出された遊技者が白竜タイトルを持っているか否かを判定する（ステップＴ５１）。白竜タイトルを持っている場合には、白竜タイトル移動処理を終了する。白竜タイトルを持っていない場合には、白竜タイトルが空位であるか否かを判定する（ステップＴ５２）。白竜タイトルが空位でない場合には、今回のレース結果によるその遊技者の連続する３０枚以上の的中回数が、現在の白竜タイトル保持者が記録した３０枚以上の最高連続的中回数より多いか否かを判定する（ステップＴ５３）。多くない場合には、白竜タイトル移動処理を終了する。多い場合には、現在の白竜タイトル保持者から白竜タイトルを剥奪し（ステップＴ５４）、選出された遊技者に白竜タイトルを付与する（ステップＴ５６）。
【０１０４】
一方、白竜タイトルが空位の場合には、今回のレース結果によるその遊技者の連続する３０枚以上の的中回数が３回以上であるか否かを判定する（ステップＴ５５）。３回未満である場合には、白竜タイトル移動処理を終了する。３回以上である場合には、その遊技者に白竜タイトルを付与する（ステップＴ５６）。
【０１０５】
タイトル移動処理終了後、マスター機はタイトルの移動結果を各スレイブ機に送信し、各遊技機はその移動結果を全ステーションに送信する（ステップＴ５７）。一方、各ステーションにおいて、遊技者の馬券レベルの昇格または降格の処理を行なう（ステップＴ５８）。そして、処理はステップＴ３に戻る。
【０１０６】
このようにして、複数の遊技機でタイトルを共有することで、１台で遊んでいる遊技機だけでなく、他の遊技機で遊んでいる遊技者とも競い合えるという、新しい面白さを提供することができる。
【０１０７】
すなわち、異なる店舗の遊技機の間でも、特典条件を遊技毎に更新することができ、例えば、特定のタイトルをそのネットワークの中で移動しうるように設定することができる。その結果、より多くの遊技者が競争することができるシステムを構築することができるため、さらに遊技者の挑戦意欲を高揚させ、好奇心を掻き立てることができる。
【０１０８】
また、実施の形態２では、遊技条件として最大ベットの上限を上げること、またはオッズが規定値分加算されることが説明されているが、特定の条件を満たしている遊技者に対して、いわゆるジャックポットチャンスを与えることとしてもよい。すなわち、クレジットの数値データの一定割合をマスター機のメイン制御ボックス２０に蓄積し、特定のレベルまたはタイトルを保持する遊技者が遊技するステーション４で、ジャックポットの入賞があったときには、蓄積されたクレジットの数値データの全部をそのステーション４に出力することもできる。
【０１０９】
これにより、競馬等を模した競争遊技では、従来無かった遊技要素を遊技に付与することになり、遊技者の好奇心を高めることができる。また、蓄積量が高まるほど、遊技者がその階層を獲得しようとする意欲を高めることができる。また、ジャックポットとして蓄積されたクレジットを払い出すことで、実際の払い出し率を設定値に調整することができる。
【０１１０】
上記のような本発明の特徴的な動作は、コンピュータに制御プログラムを実行させることにより行なわれる。すなわち、この制御プログラムは、遊技操作が行なわれる、唯一無二の識別情報を設定する処理と、遊技参加の際に遊技者の個人情報の入力を受付ける処理と、その入力された個人情報を識別情報と対応付けて記憶する処理と、前記個人情報に対応付けて遊技成績を記録する処理と、前記記録された遊技成績が予め定められた特典条件を満たすか否かを判定する処理と、前記判定結果に基づいて遊技条件を設定する処理と、判定の結果、前記記録された遊技成績が特典条件を満たしている場合、遊技成績を収めた遊技者を前記成績記録内容を対照することで特定するとともに、特定された遊技者が操作している遊技部を前記記録内容を対照して特定し、特定された遊技部における遊技条件を、特典条件を満たさない場合より遊技者にとって有利となるよう設定し、前記特典条件を解除すべき解除条件が成立するまで、その設定を維持する処理と、を含む一連の処理をコンピュータが実行し得る命令群として構成したことを特徴としている。
【０１１１】
このように本発明では、判定の結果、記録された遊技成績が特典条件を満たしている場合、遊技成績を収めた遊技者を特定するとともに、特定された遊技者が操作している遊技部を特定し、特定された遊技部における遊技条件を、特典条件を満たさない場合より遊技者にとって有利となるよう設定する。これにより、特典としての遊技条件が遊技者間で異なるため、遊技者同士で競争する意識が生ずる。その結果、遊技者の挑戦意欲を高揚させ、好奇心を掻き立てることができる。
【０１１２】
上記のプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【０１１３】
【発明の効果】
以上説明したように、本発明の遊技機は、コンピュータ装置を含んで構成され、遊技操作が行なわれる、唯一無二の識別情報が設定された遊技部と、遊技部に設けられ、遊技参加の際に遊技者の個人情報の入力を受付ける個人情報入力部と、その入力された個人情報を識別情報と対応付けて記憶する個人情報記録部と、個人情報記録部の個人情報に対応付けて遊技成績を記録する成績記録部と、成績記録部に記録された遊技成績が予め定められた特典条件を満たすか否かを判定する判定部と、判定部の判定結果に基づいて遊技部に遊技条件を設定する条件設定部と、を備え、判定の結果、成績記録部に記録された遊技成績が特典条件を満たしている場合、条件設定部は、遊技成績を収めた遊技者を成績記録部の記録内容を対照することで特定するとともに、特定された遊技者が操作している遊技部を個人情報記録部の記録内容を対照して特定し、特定された遊技部における遊技条件を、特典条件を満たさない場合より遊技者にとって有利となるよう設定するものであって、特典条件を解除すべき解除条件が成立するまで、その設定を維持することを特徴としている。
【０１１４】
このように本発明では、判定の結果、記録された遊技成績が特典条件を満たしている場合、遊技成績を収めた遊技者を特定するとともに、特定された遊技者が操作している遊技部を特定し、特定された遊技部における遊技条件を、特典条件を満たさない場合より遊技者にとって有利となるよう設定する。これにより、特典としての遊技条件が遊技者間で異なるため、遊技者同士で競争する意識が生ずる。その結果、遊技者の挑戦意欲を高揚させ、好奇心を掻き立てることができる。
【図面の簡単な説明】
【図１】実施の形態１に係る遊技機の外観を示す斜視図である。
【図２】実施の形態１に係る遊技機の電気的構成を示すブロック図である。
【図３】男性の馬券レベルの例を示す図である。
【図４】女性の馬券レベルの例を示す図である。
【図５】タイトルの例を示す図である。
【図６】実施の形態１に係る遊技機の動作を示すフローチャートである。
【図７】実施の形態１に係る遊技機の動作を示すフローチャートである。
【図８】実施の形態１に係る遊技機の動作を示すフローチャートである。
【図９】実施の形態１に係る遊技機の動作を示すフローチャートである。
【図１０】実施の形態１に係る遊技機の動作を示すフローチャートである。
【図１１】実施の形態１に係る遊技機の動作を示すフローチャートである。
【図１２】実施の形態２に係る遊技機の電気的構成を示すブロック図である。
【図１３】実施の形態２に係る遊技機の動作を示すフローチャートである。
【図１４】実施の形態２に係る遊技機の動作を示すフローチャートである。
【図１５】実施の形態２に係る遊技機の動作を示すフローチャートである。
【図１６】実施の形態２に係る遊技機の動作を示すフローチャートである。
【図１７】実施の形態２に係る遊技機の動作を示すフローチャートである。
【図１８】実施の形態２に係る遊技機の動作を示すフローチャートである。
【符号の説明】
１…遊技機、２…画像表示部、３…模型競争部、４…ステーション、１０…インターフェース、１１…メダル投入口、１２…メダル払い出し口、１３…カード差込み口、２０…メイン制御ボックス、２１…画像処理ボード、２４…大型ディスプレイ、２７…フィールドユニット、２８…ステーション制御ボックス、２９…液晶ディスプレイ、３０…タッチパネル、３１…メダル排出機構、３３…ネットワーク、３２…メダルＲ／Ｗ
【図１】
2004329451.tif 000003
【図２】
2004329451.tif 000004
【図３】
2004329451.tif 000005
【図４】
2004329451.tif 000006
【図５】
2004329451.tif 000007
【図６】
2004329451.tif 000008
【図７】
2004329451.tif 000009
【図８】
2004329451.tif 000010
【図９】
2004329451.tif 000011
【図１０】
2004329451.tif 000012
【図１１】
2004329451.tif 000013
【図１２】
2004329451.tif 000014
【図１３】
2004329451.tif 000015
【図１４】
2004329451.tif 000016
【図１５】
2004329451.tif 000017
【図１６】
2004329451.tif 000018
【図１７】
2004329451.tif 000019
【図１８】
2004329451.tif 000020